(57)【要約】      （修正有）【課題】シャフト昇降器の水平度調節台に適用され、ワークの姿勢を決めるための連接台と水平台との水平度を微調節することができる水平度調節台を提供する。【解決手段】ねじ軸１０と連接台２０とを含む水平度調節台であって、更に水平台３０と環状具４０と係止具５０とを含み、ねじ軸１０は歯形状端１１を有し、歯形状端１１には係り溝１１１が環設され、連接台２０には歯形状溝２１が貫設され、連接台２０の底面には環状端が凸設され、環状具４０が環状端に収容され、連接台２０の頂面には収容空間２３が凹設され、ねじ軸１０の歯形状端１１は、環状具４０と歯形状溝とに貫入されて、係止具５０によって係り溝１１１に係止され、これにより、ねじ軸１０が連接台２０に係止され、連接台２０の収容空間２３内には水平台３０が設けられ、且つ歯形状溝２１と歯形状端１１の間には予定隙間が存在していることを特徴とする。【選択図】図２
0003146569.tif 000002
【実用新案登録請求の範囲】
【請求項１】
ねじ軸と、連接台と、を含む水平度調節台において、
更に、水平台と、環状具と、係止具と、を含み、前記ねじ軸は歯形状端を有し、前記歯形状端には係り溝が環設されており、前記連接台には歯形状溝が貫設されており、前記連接台の底面には環状端が凸設されており、前記環状具が前記環状端に収容されており、前記連接台の頂面には収容空間が凹設されており、前記ねじ軸の歯形状端は、前記環状具と歯形状溝とに貫入されて、前記係止具によって前記係り溝に係止されており、これにより、前記ねじ軸が前記連接台に係止されており、前記連接台の収容空間内には前記水平台が設けられており、且つ前記歯形状溝と前記歯形状端の間には予定隙間が存在しており、前記予定隙間により、前記連接台と前記水平台との水平度を微調節することができることを特徴とする、水平度調節台。
【請求項２】
前記水平台は、平面と、円弧形状凹面と、を有し、前記歯形状端は円弧形状凸面を有し、前記円弧形状凹面が前記ねじ軸の歯形状端の円弧形状凸面に当接されており、前記係止具はＣ止め輪であり、更に、前記係止具と前記連接台の間には、ワッシャが設けられていることを特徴とする、請求項１に記載の水平度調節台。
【請求項３】
更に、シャフト昇降器構成を含み、前記シャフト昇降器構成は少なくとも一つの支持台を含み、前記ねじ軸は、前記シャフト昇降器構成の支持台とパワー伝達可能に連接しており、前記シャフト昇降器構成は、四点に連動する同期昇降器の構成であり、一つのモータと、四つの支持台と、を含むことを特徴とする、請求項１に記載の水平度調節台。
【考案の詳細な説明】
【技術分野】
【０００１】
本考案は、水平度調節台に係り、特にシャフト昇降器の水平度調節台に適用され、ワークの姿勢を決めるための連接台と水平台との水平度を微調節することができる水平度調節台に関するものである。
【背景技術】
【０００２】
従来、シャフト昇降器の連接台と支持ロッドとが相互にほぼ垂直しており、且つ前記連接台と支持ロッドが相互に連接されており、これにより、前記連接台と支持ロッドとの相対位置を変更することができないので、このような連接台は微調節することができない。四点に連動するシャフト昇降器を例にして説明すると、パネルの平面が四つの連接台に合せることができない場合には、前記パネルが前記四つの連接台と密接することができず、支持ロッドが傾斜するようになり、支持ロッドの伝動が不順調になって損壊する可能性がある。
【考案の開示】
【考案が解決しようとする課題】
【０００３】
本考案の主な目的は、昇降したいワークを四つの連接台と密接するように、ワークの姿勢を決めるための連接台と水平台との水平度を微調節することができる水平度調節台を提供することにある。
【０００４】
本考案の次の目的は、ワークが複数の連接台と密接することができることにより、支持ロッドが傾斜しなくなり、支持ロッドの伝動が順調になり、支持ロッドの傾斜による損壊の可能性がなくなる水平度調節台を提供することにある。
【課題を解決するための手段】
【０００５】
本考案の請求項１に記載の水平度調節台によると、ねじ軸と、連接台と、を含む水平度調節台において、更に、水平台と、環状具と、係止具と、を含み、前記ねじ軸は歯形状端を有し、前記歯形状端には係り溝が環設されており、前記連接台には歯形状溝が貫設されており、前記連接台の底面には環状端が凸設されており、前記環状具が前記環状端に収容されており、前記連接台の頂面には収容空間が凹設されており、前記ねじ軸の歯形状端は、前記環状具と歯形状溝とに貫入されて、前記係止具によって前記係り溝に係止されており、これにより、前記ねじ軸が前記連接台に係止されており、前記連接台の収容空間内には前記水平台が設けられており、且つ前記歯形状溝と前記歯形状端の間には予定隙間が存在しており、前記予定隙間により、前記連接台と前記水平台との水平度を微調節することができることを特徴とする水平度調節台である。
【０００６】
本考案の請求項２に記載の水平度調節台によると、前記水平台は、平面と、円弧形状凹面と、を有し、前記歯形状端は円弧形状凸面を有し、前記円弧形状凹面が前記ねじ軸の歯形状端の円弧形状凸面に当接されており、前記係止具はＣ止め輪であり、更に、前記係止具と前記連接台の間には、ワッシャが設けられている。
【０００７】
本考案の請求項３に記載の水平度調節台によると、更に、シャフト昇降器構成を含み、前記シャフト昇降器構成は少なくとも一つの支持台を含み、前記ねじ軸は、前記シャフト昇降器の支持台とパワー伝達可能に連接しており、前記シャフト昇降器構成は、四点に連動する同期昇降器の構成であり、一つのモータと、四つの支持台と、を含む。
【考案の効果】
【０００８】
本考案の水平度調節台によれば、次のような効果がある。
（１）昇降したいワークを四つの連接台と密接するようにして、ワークの姿勢を決めるための連接台と水平台との水平度を微調節することができる。
【０００９】
（２）ワークが複数の連接台と密接することができるので、支持ロッドが傾斜しなくなり、支持ロッドの伝動が順調になり、支持ロッドの傾斜による損壊の可能性がなくなる。
【考案を実施するための最良の形態】
【００１０】
以下、本考案の実施の形態を図面に基づいて説明する。
まず、図１乃至図６を参照する。本考案に係る水平度調節台は、ねじ軸１０と、連接台２０と、を含む。
【００１１】
本考案に係る水平度調節台は、更に、水平台３０と、環状具４０と、係止具５０と、を含み、前記ねじ軸１０は歯形状端１１を有し、前記歯形状端１１には係り溝１１１が環設されており、前記連接台２０には歯形状溝２１が貫設されており、前記連接台２０の底面には環状端２２が凸設されており、前記環状具４０が前記環状端２２に収容されており、前記連接台２０の頂面には収容空間２３が凹設されており、前記ねじ軸１０の歯形状端１１は、前記環状具４０と歯形状溝２１とに貫入されて、前記係止具５０によって前記係り溝１１１に係止されており、これにより、前記ねじ軸１０が前記連接台２０に係止されており、前記連接台２０の収容空間２３内には前記水平台３０が設けられており、且つ前記歯形状溝２１と前記歯形状端１１の間には予定隙間６０が存在しており、前記歯形状溝２１の形状が前記歯形状端１１に合せることができる形状にされており、前記歯形状溝２１の周縁が５度〜１０度に傾斜しており、そうすると、前記歯形状溝２１と前記歯形状端１１との間には前記予定隙間６０が形成される。一方、前記水平台３０は、平面３１と、円弧形状凹面３２と、を有し、前記歯形状端１１は円弧形状凸面を有し、前記円弧形状凹面３２が前記ねじ軸１０の歯形状端１１の円弧形状凸面に当接されている。このように、前記予定隙間６０と、前記水平台３０の円弧形状凹面３２を前記歯形状端１１にある円弧形状凸面に合せることとにより、ワーク（例えばソーラーエネルギーパネル、液晶パネル、又は印刷回路板など）の姿勢を決めるための連接台２０と水平台３０との水平度を微調節することができる。
【００１２】
また、前記係止具５０はＣ止め輪であり、更に、前記係止具５０と前記連接台２０の間には、ワッシャ５１が設けられている。
また、前記連接台２０には、複数の貫通孔２４が開設されており、前記貫通孔２４は、四つあってもよく、連接台２０と水平台３０との水平度を微調節した後、前記四つの貫通孔２４に貫入されているボルトにより、前記連接台２０とワークを連接することができ、そうすると、昇降したいワークは水平姿勢を保持しながら前記連接台２０と緊密に連接することができる。
【００１３】
また、本考案に係る水平度調節台は、更に、シャフト昇降器構成７０を含み、前記シャフト昇降器構成７０は少なくとも一つの支持台７１を含み、前記ねじ軸１０は、前記シャフト昇降器構成７０の支持台７１とパワー伝達可能に連接している。
【００１４】
また、図２及び図５を参照する。本考案は、複数点に連動する方式と、ボールねじを使用する方式と、を結合することにより、伝動効率及び位置決め精確度を向上することができ、また、本考案の実施例１では、前記シャフト昇降器構成７０は、四点に連動する同期昇降器の構成であり、一つのモータ７２と、四つの支持台７１と、を含む。
【００１５】
また、図２及び図６を参照する。本考案の実施例２では、前記シャフト昇降器構成７０は、五点に連動する同期昇降器の構成であり、一つのモータ７２と、五つの支持台７１と、を含む。
【００１６】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１７】
【図１】本考案の実施例に係る水平度調節台の斜視図
【図２】本考案の実施例に係る水平度調節台の分解斜視図
【図３】本考案の実施例に係る水平度調節台の断面図
【図４】本考案の実施例に係る水平度調節台の一部の断面図
【図５】本考案の実施例に係る水平度調節台が四点に連動している状態の模式図
【図６】本考案の実施例に係る水平度調節台が五点に連動している状態の模式図
【符号の説明】
【００１８】
１０    ねじ軸
１１    歯形状端
２０    連接台
２１    歯形状溝
２２    環状端
２３    収容空間
２４    貫通孔
３０    水平台
３１    平面
３２    円弧形状凹面
４０    環状具
５０    係止具
５１    ワッシャ
６０    予定隙間
７０    シャフト昇降器構成
７１    支持台
７２    モータ
１１１  係り溝
【図１】
0003146569.tif 000003
【図２】
0003146569.tif 000004
【図３】
0003146569.tif 000005
【図４】
0003146569.tif 000006
【図５】
0003146569.tif 000007
【図６】
0003146569.tif 000008